(57)【要約】【課題】  簡易な手法で、カラー画像に係る原画像データからカラー画像と白黒画像の混在した画像データを生成することのできる画像処理装置を提供する。【解決手段】  本発明は、カラー画像に係る原画像データに所望の補正を行って、出力用の画像データを生成する画像処理装置であって、オペレータが所望の色相を指定できる操作環境を提供する色相指定手段を備え、原画像データを構成する画素の内、オペレータによって指定された色相と一致しない色相の画素に対して白黒画像データ変換処理を施すことでカラー画像と白黒画像が混在した出力用の画像データを得る。【選択図】  図３
2007036592.tif 000002
【特許請求の範囲】
【請求項１】
カラー画像に係る原画像データに所望の補正を行って、出力用の画像データを生成する画像処理装置であって、
オペレータが所望の色相を指定できる操作環境を提供する色相指定手段と、
原画像データを構成する画素の内、オペレータによって指定された色相と一致しない色相の画素に対して所定の色変換に係る処理を施すことで出力用の画像データを生成する画像データ生成手段と、
を備えることを特徴とする画像処理装置。
【請求項２】
前記所定の色変換に係る処理が白黒画像データへの変換処理であることを特徴とする請求項１に記載の画像処理装置。
【請求項３】
前記所定の色変換に係る処理がセピア画像データへの変換処理であることを特徴とする請求項１に記載の画像処理装置。
【発明の詳細な説明】
【技術分野】
【０００１】
本発明は、画像処理装置に関し、特にカラー画像に係る原画像データに対して特殊な画像処理を施し、出力用の画像データを生成する画像処理装置に関する。
【背景技術】
【０００２】
近年、ＤＰＥ店等においては、顧客が持ち込んだ写真フィルムや各種メディア等から読み込んだ画像データ（原画像データ）に対し、色濃度補正やコントラスト補正等のデジタル画像処理を施すことで、より見映えの良い（きれいな）画像データを生成し、これを基に写真プリント等を出力してユーザに提供するサービスが広く普及している。
【０００３】
また、原画像データに特殊な加工を施すことで、面白みのある写真プリント等の出力を希望する顧客も増えている。
【０００４】
かかる特殊加工の１つとして、カラー画像と白黒画像の混在した画像データの生成が挙げられる。これは、例えば、特定の対象物（被写体の一部）以外の部分を白黒画像に変換することで、当該対象物のみを際立たせ、面白みのある画像データを得るというものである。
【発明の開示】
【発明が解決しようとする課題】
【０００５】
しかしながら、従来の技術においては、白黒画像の変換において、先ず、特定の領域（白黒画像に変換する領域。具体的には、特定の対象物以外の部分となる。）を範囲指定する必要が生じるため、非常に手間がかかり、ＤＰＥ店等で提供するサービスとしては、生産性が悪く実用的でないという実情があった。
【０００６】
本発明は、上記実情を鑑みてなされたものであり、簡易な手法により、特定の対象物以外の部分に所定の画像処理を施すことができ、当該対象物を明確に強調した画像データを生成することのできる画像処理装置を提供することを目的とする。
【課題を解決するための手段】
【０００７】
本発明に係る画像処理装置は、カラー画像に係る原画像データに所望の補正を行って、出力用の画像データを生成する画像処理装置であって、オペレータが所望の色相を指定できる操作環境を提供する色相指定手段と、原画像データを構成する画素の内、オペレータによって指定された色相と一致しない色相の画素に対して所定の色変換に係る処理を施すことで出力用の画像データを生成する画像データ生成手段と、を備えることを特徴とする。
【０００８】
上記構成の画像処理装置によれば、原画像データについて、顧客等のユーザが所望する色相以外の色相に係る画素部分のみに対して所定の色変換に係る処理を施すことができるので、例えば、ユーザが特定の対象物（被写体の一部）の色相を指定することで、当該色相以外、即ち、当該特定対象物以外の部分（領域）に係る画像データに所定の色変換に係る処理が施され、当該特定対象物のみを特徴的に（即ち、強調させて）表した画像データ、あるいは、物体等に限らず、例えば、当該指定した色相に係る複数の部分（領域）を特徴的に表した画像データを容易に得ることが可能になる。
【０００９】
前記指定手段が提供する操作環境は、操作がし易く、改良等を含むメンテナンス性も優れるＧＵＩ（グラフィカル・ユーザ・インタフェース）で具現化するのが好ましい。
【００１０】
また、色相（一般的には、いわゆる色相環に従い、０〜３６０（度）で示される。）の指定は、範囲による指定も可能であり（例えば、５０〜６０（度）の範囲で指定するなど）、この場合は、当該指定した色相の範囲以外の部分（領域）に係る画像データのみに所定の色変換に係る処理が施されることになる。
【００１１】
また、前記所定処理が白黒画像データあるいはセピア画像データへの変換処理であるとすれば、容易な処理で、当該指定した色相（の範囲）と差別化ができるので好ましい。
【発明の効果】
【００１２】
以上の如く、本発明の画像処理装置によれば、所望の色相（の範囲）を指定することで、原画像データについて、当該指定した色相（の範囲）以外の部分（領域）に係る画像データに所定の色変換に係る処理を施せるので、特定の対象物を明確に強調したり、あるいは、特定色を強調した面白みのある画像データを容易に得ることができる。
【発明を実施するための最良の形態】
【００１３】
以下、本発明の一実施形態に係る画像処理装置について図面を参酌しつつ説明する。
【００１４】
図１は、本実施形態に係る画像処理装置を備えた写真処理装置の外観図であり、図２は、該写真処理装置の内部構成を示すブロック図である。本写真処理装置は、写真フィルムＦや記録メディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成されている。
【００１５】
画像処理装置１は、写真フィルムＦから画像を読み取るフィルムスキャナ３と、メモリカードやＣＤ−Ｒ等の記録メディアＭに対して画像データの読み書き可能なメディアドライブ４ａと、記録メディアＭから読み出した多数の画像データ（画像ファイル）等を記録可能な大容量のハードディスク４ｂ、画像処理装置１の制御を含む本写真処理装置全体を制御する主制御装置５と、該主制御装置５の制御に係る操作画面等を表示するモニタ６及びオペレータからの操作指令を受け付ける入力装置７（キーボード７ａ及びマウス７ｂ）を備えている。尚、モニタ６をタッチパネル方式で構成し、オペレータの指や専用の入力ペン等を使用して操作指令を受け付けるようにすることも可能である。
【００１６】
主制御装置５は、当該制御、演算の主体であるＣＰＵ８、画像処理用プログラム等が記憶されるＲＯＭ９ａ、処理用のワークエリア等として使用されるＲＡＭ９ｂ及び各種外部装置（フィルムスキャナ３、メディアドライブ４ａ、ハードディスク４ｂ、モニタ６及び入力装置７）とのＩ／Ｏ処理を行うＩ／Ｏ処理部１０をその内部に備えている。
【００１７】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００１８】
露光処理部１１は、感光材料ＰＡを一対のマガジン１５ａ、１５ｂから引き出し、搬送用ローラ対１６によって下流側に搬送する。そして、ハロゲンランプ等からなる光源１７ａと、該光源１７ａに光ファイバ束１７ｂを介して接続された光シャッタ１７ｃとで構成されるＰＬＺＴ方式の露光装置１７によって、感光材料ＰＡを露光する。尚、露光装置１７は、ＰＬＺＴ方式に限らず、例えば、レーザ方式やＣＲＴ方式等であっても構わない。
【００１９】
現像処理部１２は、感光材料ＰＡに対して、現像、漂白、定着、安定化等の処理を行う。
【００２０】
乾燥処理部１３は、現像処理部１２から送られてくる感光材料ＰＡに熱風装置１８からの熱風を吹き付け、感光材料ＰＡに付着した現象液等を乾燥させる処理を行う。
【００２１】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダー毎に仕分けるオーダー仕分部２０とを有している。
【００２２】
サイズ仕分部１９は、大きなサイズの感光材料ＰＡをトレー２１に排出し、小さなサイズの感光材料ＰＡをコンベア２２に搬送する。オーダー仕分部２０は、コンベア２２によって搬送されてくる感光材料ＰＡを各受皿２３に対してオーダー毎に振り分ける。
【００２３】
以上の構成は、ＤＰＥ店等のプリントサービス店に設置されている、いわゆる「ミニラボ」と呼ばれる小型の写真処理装置が一般的に備えているものであるが、本実施形態に係る写真処理装置の画像処理装置１は、顧客が持ち込んだ写真フィルムＦや記録メディアＭから読み込んだ画像データ（原画像データ）に対して、後述する特殊加工を容易に施して、面白みのある画像データを生成できるという従来にない優れた特徴を有する。以下、かかる特徴について詳細に説明する。尚、以下の画像処理に係るＧＵＩ（グラフィカル・ユーザ・インタフェース）の提供及び内部処理は、実際には主制御装置５のＣＰＵ８がＲＯＭ９ａに記憶されている画像処理用プログラムを起動させることで実現するものであるが、便宜的に処理の主体を主制御装置５として説明する。また、前記ＧＵＩはモニタ６を介して提供されるものとする。
【００２４】
顧客が持ち込んだ写真フィルムＦや記録メディアＭから読み込まれた原画像データは、図３に示す色変換データ作成画面３１の原画像表示エリア３２に表示される（より具体的には、所定の図示しないメニュー画面から呼び出される形式で表示される。）。その際、主制御装置５は、所定の変換テーブル等を用いて、ＲＧＢ形式である原画像データをＹＣｂＣｒ形式のデータ（明度（Ｙ）及び彩度（Ｃ）成分からなるデータ）に変換し、これをＲＡＭ９ｂに保存する。また、変換したＣｂ及びＣｒから所定の算出式等を用いて原画像データを構成する画素毎の色相（色相データ）を求め、これをＲＡＭ９ｂに保存する。尚、主制御装置５の色変換データ作成画面３１に係る処理機能部は、色相指定手段及び画像データ生成手段を構成する。
【００２５】
色相指定バー３４には、各色合いの種別が、概ね判別できる程度に、いわゆる色相環（０〜３５９度）に従い表示されている。スライダー３５及び３６は、マウス７ｂ等を使用することで色相指定バー３４内を左右にスライドさせることができ、そして、スライダー３５により色相の下限を指定でき、スライダー３６により色相の上限を指定できる構成となっている。したがって、オペレータは、色相指定バー３４に表示された各種色合いを確認しながら、容易に所望する色相の範囲を指定することができる。
【００２６】
オペレータは、かかる色変換データ作成画面３１を介して操作することで、原画像データをカラー画像と白黒画像の混在した画像データに変換させることができる。具体的には、上述した色相指定バー３４で色相の範囲を指定し、「ＯＫ」ボタン３８を押下すると、内部処理によって、原画像データを構成する画素の内、当該指定された色相の範囲と一致しない色相に係る画素が抽出され、当該抽出画素のみが白黒画像に変換されることで、指定した色相の範囲以外の部分（領域）のみが白黒画像となった画像データが得られる。そして、当該変換後の画像データは、変換後表示エリア３３に表示される。
【００２７】
ここで、指定した色相範囲と一致しない画素の抽出は、先に取得した原画像に係る色相データを使用して行われる。また、白黒画像への変換については、先に取得した原画像に係るＹＣｂＣｒデータの彩度成分（Ｃｂ及びＣｒ）を０にし、再度ＲＧＢデータに変換する処理だけで済み、複雑な処理を要することはない。
【００２８】
色変換データ作成画面３１を介した操作について、具体例を挙げて説明すると、例えば、オペレータが、原画像内の被写体の一部である車のボディの色（例えば、青色）に相当する色相の範囲を色相指定バー３４を用いて指定し、「ＯＫ」ボタン３８を押下すると、車のボディの色（青色）はそのままで、他の部分（即ち、車のボディ以外の領域）が白黒画像に変換された画像データが生成され、その結果が変換後表示エリア３３に表示される。ここで、「閉じる」ボタン３９を押下すると、出力に係る図示しない操作画面が表示され（あるいは、当該色変換データ作成画面３１を呼び出した元の画面に戻り）、前記変換後の画像データを写真プリントして出力させたり、あるいは出力用の（即ち、顧客に提供される）記録メディアＭに記録させることができる。
【００２９】
尚、色変換データ作成画面３１の「元に戻す」ボタン３７を押下すると、変換を無効化（一旦生成した変換後データを消去）し、変換前の状態に戻すことができる。
【００３０】
このように、色変換データ作成画面３１を用いると、特定の対象物のみを強調した面白みのある画像データを容易に得ることが可能となる。また、強調したい対象物の領域を指定する必要がないので、例えば、原画像データに同一色の対象物が複数存在する場合（例えば、花畑等を撮影した場合）でも、容易にかかる全ての対象物（例えば、花びら）を強調した画像データを得ることができる。
【００３１】
以上のように、本発明の本実施形態に係る画像処理装置１によれば、原画像データについて、顧客の所望する色相（換言すれば、対象物）以外の部分を白黒画像に簡易な手法で変換することができ、当該色相（対象物）に係る部分を明確に強調した画像データを得ることが容易となる。したがって、本実施形態の写真処理装置を設置するＤＰＥ店等においては、生産性を低下させることなく、サービスの拡充が図れる。
【００３２】
尚、本発明は、上記実施形態に限定されることはなく、本発明の要旨を逸脱しない範囲で種々の変更が可能である。
【００３３】
例えば、上記実施形態の色変換データ作成画面３１では、原画像データについて、指定した色相（の範囲）以外の部分（領域）を白黒画像に変更することで、出力用の画像データを生成しているが、本発明は、これに限定されず、例えば、セピア画像に変更することで、出力用の画像データを生成する仕様としてもよい。
【図面の簡単な説明】
【００３４】
【図１】本発明の一実施形態に係る写真処理装置の外観図である。
【図２】同実施形態に係る写真処理装置の概略構成図である。
【図３】同実施形態において、モニタに表示された色変換データ作成画面３１の一例を示す図である。
【符号の説明】
【００３５】
１…画像処理装置、２…プリント装置、３…フィルムスキャナ、４ａ…メディアドライブ、４ｂ…ハードディスク、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバ束、１７ｃ…光シャッタ、１８…熱風装置、１９…サイズ仕分部、２０…オーダー仕分部、２１…トレー、２２…コンベア、２３…受皿、３１…色変換データ作成画面、３２…原画像表示エリア、３３…変換後表示エリア、３４…色相指定バー、３５，３６…スライダー、３７…元に戻すボタン、３８…ＯＫボタン、３９…閉じるボタン
【図１】
2007036592.tif 000003
【図２】
2007036592.tif 000004
【図３】
2007036592.tif 000005